(57)【要約】【課題】Ｕリンクをジャック盤に差し込んだままＵコードをＵリンクに接続して通信回線試験などを行えるＵリンクおよびＵコードを提供する。【解決手段】Ｕリンク１０の第１および第２の機器側差込・差込受片１０ａ，１０ｂ並びに第１および第２の回線側差込・差込受片１０ｃ，１０ｄは１枚の導電板からそれぞれ構成されている。Ｕコード２０は、スライドスイッチ２０ｉの第１および第２の導電部材を第１および第２の機器側導電板２０Ｘｂ１，２０Ｙｂ１にのみそれぞれ電気的に接続するか、第１の導電部材を第１の機器側および回線側導電板２０Ｘｂ１，２０Ｘｂ２にのみ電気的に接続するとともに第２の導電部材を第２の機器側および回線側導電板２０Ｙｂ１，２０Ｙｂ２にのみ電気的に接続するか、第１および第２の導電部材を第１および第２の回線側導電板２０Ｘｂ２，２０Ｙｂ２にのみそれぞれ電気的に接続するかを選択できるように構成されている。【選択図】図１
2014175280.tif 000002
【特許請求の範囲】
【請求項１】
第１および第２のプラグ差込片を備えたＵコードが接続可能なＵリンク（１０）であって、
本体（１０ｇ）の表面の中央部に並設された、かつ、前記Ｕコードの前記第１および第２のプラグ差込片をそれぞれ差し込むための第１および第２の差込口（１０Ｘ，１０Ｙ）と、
該本体の後面の下部から先端部が突出するように並設された第１および第２の機器側差込・差込受片（１０ａ，１０ｂ）と、
前記本体の後面の上部から先端部が突出するように並設された第１および第２の回線側差込・差込受片（１０ｃ，１０ｄ）とを具備し、
前記第１の機器側差込・差込受片および前記第１の回線側差込・差込受片が、前記第１の差込口に差し込まれた前記Ｕコードの前記第１のプラグ差込片と電気的に接続可能とされており、
前記第２の機器側差込・差込受片および前記第２の回線側差込・差込受片が、前記第２の差込口に差し込まれた前記Ｕコードの前記第２のプラグ差込片と電気的に接続可能とされており、
前記第１の機器側差込・差込受片、前記第２の機器側差込・差込受片、前記第１の回線側差込・差込受片および前記第２の回線側差込・差込受片が１枚の導電板からそれぞれ構成されている、
ことを特徴とする、Ｕリンク。
【請求項２】
請求項１記載のＵリンク（１０）に接続可能なＵコード（２０）であって、
本体（２０ｇ）の前面の中央部から先端部が突出するように並設された第１および第２のプラグ差込片（２０Ｘ，２０Ｙ）と、
前記本体に取り付けられた、かつ、第１および第２の導電部材を備えた、かつ、第１乃至第３のモードの切替が可能なスライドスイッチ（２０ｉ）と、
前記本体内に設けられた、かつ、先端部が前記スライドスイッチの前記第１および第２の導電部材にそれぞれ電気的に接続された第１および第２の可撓性コード（２０ｊ，２０ｋ）とを具備し、
前記第１のプラグ差込片が、第１の機器側導電部（２０Ｘｂ１）および第１の回線側導電部（２０Ｘｂ２）を第１の絶縁板（２０Ｘａ）の両側面にそれぞれ取り付けた構成とされており、
前記第２のプラグ差込片が、第２の機器側導電部（２０Ｙｂ１）および第２の回線側導電部（２０Ｙｂ２）を第２の絶縁板（２０Ｙａ）の両側面にそれぞれ取り付けた構成とされており、
前記スライドスイッチをスライドさせてモードを前記第１のモードにした場合には、前記第１の導電部材が前記第１の機器側導電部にのみ電気的に接続するとともに、前記第２の導電部材が前記第２の機器側導電部にのみ電気的に接続し、
前記スライドスイッチをスライドさせてモードを前記第２のモードにした場合には、前記第１の導電部材が前記第１の機器側および回線側導電部にのみ電気的に接続するとともに、前記第２の導電部材が前記第２の機器側および回線側導電部にのみ電気的に接続し、
前記スライドスイッチをスライドさせてモードを前記第３のモードにした場合には、前記第１の導電部材が前記第１の回線側導電部にのみ電気的に接続するとともに、前記第２の導電部材が前記第２の回線側導電部にのみ電気的に接続するようにされている、
ことを特徴とする、Ｕコード。
【請求項３】
前記第１のプラグ差込片の前記第１の機器側導電部が、前記第１の絶縁板の前記第２のプラグ差込片と反対側の側面に取り付けられているとともに、末端部が該第１の絶縁板の末端部で該第１の絶縁板の前記第２のプラグ差込片側の側面の末端部に達するように折り返されており、
前記第１のプラグ差込片の前記第１の回線側導電部が、前記第１の絶縁板の前記第２のプラグ差込片側の側面に取り付けられているとともに、末端が前記第１の機器側導電部の末端と所定の間隔をもって離されており、
前記第２のプラグ差込片の前記第２の機器側導電部が、前記第２の絶縁板の前記第１のプラグ差込片と反対側の側面に取り付けられているとともに、末端部が該第２の絶縁板の末端部で該第２の絶縁板の前記第１のプラグ差込片側の側面の末端部に達するように折り返されており、
前記第２のプラグ差込片の前記第２の回線側導電部が、前記第２の絶縁板の前記第１のプラグ差込片側の側面に取り付けられているとともに、末端が前記第２の機器側導電部の末端と所定の間隔をもって離されている、
ことを特徴とする、請求項２記載のＵコード。
【請求項４】
前記スライドスイッチが、上端部が前記本体の上面から突出するとともに下端部が該本体の下面から突出した棒状の形状を有し、
前記本体の上面および下面に、前記スライドスイッチを該本体の長手方向にスライド可能とするための貫通孔が形成されており、
前記本体の上面に、前記スライドスイッチの前記第１乃至第３のモードのスライド位置をそれぞれ示す３つの文字が記されている、
ことを特徴とする、請求項２または３記載のＵコード。
【発明の詳細な説明】
【技術分野】
【０００１】
本発明は、アナログ回線を使用した通信機器に装備された通信回線の試験などを行うのに好適なＵリンクおよびＵコードに関する。
【背景技術】
【０００２】
電力会社では、たとえば、図３に示すように制御所監視制御装置１（以下、「制御所ＭＰ１」と称する。）と変電所遠方監視制御装置２（以下、「変電所ＴＣ２」と称する。）との間で通信回線試験を行う場合に、変電所ＴＣ２が運用中であるときには、試験員は、制御中継所情報配信装置３（以下、「制御中継所ＤＸ３」と称する。）と変電所ＴＣ２とを接続するジャック盤４からＵリンク５を引き抜いて、同図に実線の矢印で示すようにジャック盤４の第１および第２の装置側差込口４ａ，４ｂにＵコード７の第１および第２のプラグ差込片７Ｘ，７Ｙをそれぞれ差し込んで制御中継所ＤＸ３と模擬試験装置６（以下、「ＴＣＴ６」と称する。）とを接続している。
【０００３】
また、制御所ＭＰ１と変電所ＴＣ２との間で通信回線試験を行う場合に、制御所ＭＰ１が何らかの理由で使用できないときには、試験員は、ジャック盤４からＵリンク５を引き抜いて、図３に破線の矢印で示すようにジャック盤４の第１および第２の回線側差込口４ｃ，４ｄにＵコード７の第１および第２のプラグ差込片７Ｘ，７Ｙをそれぞれ差し込んで変電所ＴＣ２とＴＣＴ６とを接続している。
【０００４】
そのため、従来のＵリンク５は、図４（ａ），（ｂ）に示すように、導電性の第１および第２の機器側差込片５ａ，５ｂと、導電性の第１および第２の回線側差込片５ｃ，５ｄと、導電性の第１および第２の差込受片５ｅ，５ｆと、中空の直方体形状の本体５ｇとを具備する。
本体５ｇの表面の中央部には、第１および第２の差込口５Ｘ，５Ｙが並設されており、Ｕコード７の第１および第２のプラグ差込片７Ｘ，７Ｙをそれぞれ差し込めるようにされている。
第１および第２の機器側差込片５ａ，５ｂは、本体５ｇの後面の下部から先端部が突出するように並設されており、常時はジャック盤４の第１および第２の機器側差込口４ａ，４ｂ（図３参照）にそれぞれ差し込まれている。
第１および第２の回線側差込片５ｃ，５ｄは、本体５ｇの後面の上部から先端部が突出するように並設されており、常時はジャック盤４の第１および第２の回線側差込口４ｃ，４ｄ（図３参照）にそれぞれ差し込まれている。
第１の差込受片５ｅは、本体５ｇ内に設けられており、第１の機器側差込片５ａおよび第１の回線側差込片５ｃと電気的に接続されているとともに、第１の差込口５Ｘに差し込まれたＵコード７の第１のプラグ差込片７Ｘが受容できるようにされている。
第２の差込受片５ｆは、本体５ｇ内に設けられており、第２の機器側差込片５ｂおよび第２の回線側差込片５ｄと電気的に接続されているとともに、第２の差込口５Ｙに差し込まれたＵコード７の第２のプラグ差込片７Ｙが受容できるようにされている。
【０００５】
従来のＵコード７は、図５（ａ）〜（ｄ）に示すように、導電性の第１および第２のプラグ差込片７Ｘ，７Ｙと、導電性の第１および第２の接続片７ａ，７ｂと、中空の直方体形状の本体７ｇと、中空の矩形体形状の接続部７ｈとを具備する。
第１および第２のプラグ差込片７Ｘ，７Ｙは、本体７ｇの前面の中央部から先端部が突出するように並設されている。
第１および第２の接続片７ａ，７ｂは、本体７ｇ内に設けられており、末端が接続部７ｈに固定され、先端が第１および第２のプラグ差込片７Ｘ，７Ｙの末端とそれぞれ電気的に接続されている。
接続部７ｈは、前面部が本体７ｇの裏面部に取り付けられており、後面から挿入されたＴＣＴ６とＵコード７とを接続する２本の接続コード（図３参照）を第１および第２の接続片７ａ，７ｂとそれぞれ電気的に接続するようにされている。
【０００６】
これにより、Ｕコード７の第１および第２のプラグ差込片７Ｘ，７Ｙをジャック盤４の第１および第２の装置側差込口４ａ，４ｂにそれぞれ差し込むと、制御中継所ＤＸ３とＴＣＴ６とをＵコード７の第１および第２のプラグ差込片７Ｘ，７Ｙ並びに第１および第２の接続片７ａ，７ｂと２本の接続コードとを介して接続することができる。
また、Ｕコード７の第１および第２のプラグ差込片７Ｘ，７Ｙをジャック盤４の第１および第２の回線側差込口４ｃ，４ｄにそれぞれ差し込むと、変電所ＴＣ２とＴＣＴ６とをＵコード７の第１および第２のプラグ差込片７Ｘ，７Ｙ並びに第１および第２の接続片７ａ，７ｂと２本の接続コードとを介して接続することができる。
【０００７】
なお、本出願人の一人は、下記の特許文献１で、機器側および回線側の各２端子のプラグと、その間を外部から差込み棒などの挿入・引抜きにより開閉する開閉手段と、２端子の一方に接続した測定用ソケット手段とを設け、差込み棒を有する測定用プラグの差込み棒の長さの設定によって開閉手段の開閉状態を制御することにより、操作が容易で確実かつ迅速に通信回線試験を行うことができる通信回線用Ｕリンクを提案している。
【先行技術文献】
【特許文献】
【０００８】
【特許文献１】特開２００８−１８６６５２号公報
【発明の概要】
【発明が解決しようとする課題】
【０００９】
しかしながら、上述したＵリンク５では、ジャック盤４内には穴が開いているため、試験員がジャック盤４からＵリンク５を引き抜くときにＵリンク５が手から離れて落としてしまうと、Ｕリンク５が床より下に落ちてしまい探すのが大変であるという問題があった。
また、Ｕリンク５をジャック盤４に戻す際に試験員がＵリンク５の第１および第２の機器側差込片５ａ，５ｂまたは第１および第２の回線側差込片５ｃ，５ｄをジャック盤４の第１および第２の装置側差込口４ａ，４ｂまたは第１および第２の回線側差込口４ｃ，４ｄに差し込まずにずらして差し込んでしまったままにシステムを復旧すると、警報を上げてしまうという問題があった。
【００１０】
本発明の目的は、Ｕリンクをジャック盤に差し込んだままＵコードをＵリンクに接続して通信回線試験などを行うことができるＵリンクおよびＵコードを提供することにある。
【課題を解決するための手段】
【００１１】
本発明のＵリンクは、第１および第２のプラグ差込片を備えたＵコードが接続可能なＵリンク（１０）であって、本体（１０ｇ）の表面の中央部に並設された、かつ、前記Ｕコードの前記第１および第２のプラグ差込片をそれぞれ差し込むための第１および第２の差込口（１０Ｘ，１０Ｙ）と、該本体の後面の下部から先端部が突出するように並設された第１および第２の機器側差込・差込受片（１０ａ，１０ｂ）と、前記本体の後面の上部から先端部が突出するように並設された第１および第２の回線側差込・差込受片（１０ｃ，１０ｄ）とを具備し、前記第１の機器側差込・差込受片および前記第１の回線側差込・差込受片が、前記第１の差込口に差し込まれた前記Ｕコードの前記第１のプラグ差込片と電気的に接続可能とされており、前記第２の機器側差込・差込受片および前記第２の回線側差込・差込受片が、前記第２の差込口に差し込まれた前記Ｕコードの前記第２のプラグ差込片と電気的に接続可能とされており、前記第１の機器側差込・差込受片、前記第２の機器側差込・差込受片、前記第１の回線側差込・差込受片および前記第２の回線側差込・差込受片が１枚の導電板からそれぞれ構成されていることを特徴とする。
本発明のＵコードは、本発明のＵリンク（１０）に接続可能なＵコード（２０）であって、本体（２０ｇ）の前面の中央部から先端部が突出するように並設された第１および第２のプラグ差込片（２０Ｘ，２０Ｙ）と、前記本体に取り付けられた、かつ、第１および第２の導電部材を備えた、かつ、第１乃至第３のモードの切替が可能なスライドスイッチ（２０ｉ）と、前記本体内に設けられた、かつ、先端部が前記スライドスイッチの前記第１および第２の導電部材にそれぞれ電気的に接続された第１および第２の可撓性コード（２０ｊ，２０ｋ）とを具備し、前記第１のプラグ差込片が、第１の機器側導電部（２０Ｘｂ１）および第１の回線側導電部（２０Ｘｂ２）を第１の絶縁板（２０Ｘａ）の両側面にそれぞれ取り付けた構成とされており、前記第２のプラグ差込片が、第２の機器側導電部（２０Ｙｂ１）および第２の回線側導電部（２０Ｙｂ２）を第２の絶縁板（２０Ｙａ）の両側面にそれぞれ取り付けた構成とされており、前記スライドスイッチをスライドさせてモードを前記第１のモードにした場合には、前記第１の導電部材が前記第１の機器側導電部にのみ電気的に接続するとともに、前記第２の導電部材が前記第２の機器側導電部にのみ電気的に接続し、前記スライドスイッチをスライドさせてモードを前記第２のモードにした場合には、前記第１の導電部材が前記第１の機器側および回線側導電部にのみ電気的に接続するとともに、前記第２の導電部材が前記第２の機器側および回線側導電部にのみ電気的に接続し、前記スライドスイッチをスライドさせてモードを前記第３のモードにした場合には、前記第１の導電部材が前記第１の回線側導電部にのみ電気的に接続するとともに、前記第２の導電部材が前記第２の回線側導電部にのみ電気的に接続するようにされていることを特徴とする。
ここで、前記第１のプラグ差込片の前記第１の機器側導電部が、前記第１の絶縁板の前記第２のプラグ差込片と反対側の側面に取り付けられているとともに、末端部が該第１の絶縁板の末端部で該第１の絶縁板の前記第２のプラグ差込片側の側面の末端部に達するように折り返されており、前記第１のプラグ差込片の前記第１の回線側導電部が、前記第１の絶縁板の前記第２のプラグ差込片側の側面に取り付けられているとともに、末端が前記第１の機器側導電部の末端と所定の間隔をもって離されており、前記第２のプラグ差込片の前記第２の機器側導電部が、前記第２の絶縁板の前記第１のプラグ差込片と反対側の側面に取り付けられているとともに、末端部が該第２の絶縁板の末端部で該第２の絶縁板の前記第１のプラグ差込片側の側面の末端部に達するように折り返されており、前記第２のプラグ差込片の前記第２の回線側導電部が、前記第２の絶縁板の前記第１のプラグ差込片側の側面に取り付けられているとともに、末端が前記第２の機器側導電部の末端と所定の間隔をもって離されていてもよい。
前記スライドスイッチが、上端部が前記本体の上面から突出するとともに下端部が該本体の下面から突出した棒状の形状を有し、前記本体の上面および下面に、前記スライドスイッチを該本体の長手方向にスライド可能とするための貫通孔が形成されており、前記本体の上面に、前記スライドスイッチの前記第１乃至第３のモードのスライド位置をそれぞれ示す３つの文字が記されていてもよい。
【発明の効果】
【００１２】
本発明のＵリンクおよびＵコードは、Ｕコードのスライドスイッチによるモード切替により、第１の導電部材を第１の機器側導電部にのみ電気的に接続するとともに第２の導電部材を第２の機器側導電部にのみ電気的に接続するか、第１の導電部材を第１の機器側および回線側導電部にのみ電気的に接続するとともに第２の導電部材を第２の機器側および回線側導電部にのみ電気的に接続するか、第１の導電部材を第１の回線側導電部にのみ電気的に接続するとともに第２の導電部材を第２の回線側導電部にのみ電気的に接続するかを選択することができるため、Ｕリンクをジャック盤に差し込んだままＵコードをＵリンクに接続して通信回線試験などを行うことができるという効果を奏する。
【図面の簡単な説明】
【００１３】
【図１】本発明の一実施例によるＵリンク１０およびＵコード２０の構成を示す図であり、（ａ）はＵリンク１０の内部構造について説明するための図であり、（ｂ）はＵコード２０の外部構造および内部構造について説明するための図である。
【図２】図１に示したＵリンク１０およびＵコード２０の電気的接続関係を示す図であり、（ａ）はモードが“常時”の場合の電気的接続関係を示す図であり、（ｂ）はモードが“ＥＱＰＴ”の場合の電気的接続関係を示す図であり、（ｃ）はモードが“ＬＩＮＥ”の場合の電気的接続関係を示す図である。
【図３】従来のＵリンク５およびＵコード７を用いた制御所ＭＰ１と変電所ＴＣ２との間の通信回線試験の方法について説明するための図である。
【図４】図３に示したＵリンク５の構成を示す図であり、（ａ）はＵリンク５の正面図、平面図および右側面図であり、（ｂ）はＵリンク５の本体５ｇ内の構造を説明するための図である。
【図５】図３に示したＵコード７の構成を示す図であり、（ａ）はＵコード７の外部構造を示す平面図であり、（ｂ）はＵコード７の外部構造を示す正面図であり、（ｃ）はＵコード７の本体７ｇ内の構造を示す平面図であり、（ｄ）はＵコード７の本体７ｇ内の構造を示す正面図である。
【発明を実施するための形態】
【００１４】
上記の目的を、Ｕリンクの第１の機器側差込・差込受片、第２の機器側差込・差込受片、第１の回線側差込・差込受片および第２の回線側差込・差込受片を１枚の導電板からそれぞれ構成し、また、Ｕコードの第１のプラグ差込片を電気的に絶縁された第１の機器側導電板および第１の回線側導電板を第１の絶縁板の両側面にそれぞれ取り付けた構成とするとともに、Ｕコードの第２のプラグ差込片を電気的に絶縁された第２の機器側導電板および第２の回線側導電板を第２の絶縁板の両側面にそれぞれ取り付けた構成として、スライドスイッチによって、第１の導電部材を第１の機器側導電板にのみ電気的に接続するとともに第２の導電部材を第２の機器側導電板にのみ電気的に接続するか、第１の導電部材を第１の機器側および回線側導電板にのみ電気的に接続するとともに第２の導電部材を第２の機器側および回線側導電板にのみ電気的に接続するか、第１の導電部材を第１の回線側導電板にのみ電気的に接続するとともに第２の導電部材を第２の回線側導電板にのみ電気的に接続するかを選択できるようにすることにより実現した。
【実施例１】
【００１５】
以下、本発明のＵリンクおよびＵコードの実施例について図面を参照して説明する。
まず、本発明の一実施例によるＵリンク１０について説明する。
本実施例によるＵリンク１０は、図１（ａ）に示すように、１枚の導電板からそれぞれ構成された第１の機器側差込・差込受片１０ａ、第２の機器側差込・差込受片１０ｂ、第１の回線側差込・差込受片１０ｃおよび第２の回線側差込・差込受片１０ｄを具備する点で、上述した従来のＵリンク５と相違する。
【００１６】
すなわち、従来のＵリンク５では、第１の差込受片５ｅを第１の機器側差込片５ａおよび第１の回線側差込片５ｃと常に電気的に接続しているとともに第２の差込受片５ｆを第２の機器側差込片５ｂおよび第２の回線側差込片５ｄと常に電気的に接続しているが（図４（ｂ）参照）、本実施例によるＵリンク１０では、第１の差込受片５ｅを第２の機器側および回線側差込片５ｂ，５ｄ側と第２の機器側および回線側差込片５ｂ，５ｄの反対側とに分けるとともに第２の差込受片５ｆを第１の機器側および回線側差込片５ａ，５ｃ側と第１の機器側および回線側差込片５ａ，５ｃの反対側とに分けて、第１の差込受片５ｅの第２の機器側および回線側差込片５ｂ，５ｄの反対側を第１の機器側差込片５ａと常に電気的に接続することにより第１の機器側差込・差込受片１０ａを構成し、第１の差込受片５ｅの第２の機器側および回線側差込片５ｂ，５ｄ側を第１の回線側差込片５ｃと常に電気的に接続することにより第１の回線側差込・差込受片１０ｃを構成し、第２の差込受片５ｆの第１の機器側および回線側差込片５ａ，５ｃの反対側を第２の機器側差込片５ｂと常に電気的に接続することにより第２の機器側差込・差込受片１０ｂを構成し、第２の差込受片５ｅの第１の機器側および回線側差込片５ａ，５ｃ側を第２の回線側差込片５ｄと常に電気的に接続することにより第２の回線側差込・差込受片１０ｄを構成している。
【００１７】
次に、本発明の一実施例によるＵコード２０について説明する。
本実施例によるＵコード２０は、図１（ｂ）に示すように、以下に示す点で上述した従来のＵコード７と相違する。
（１）第１および第２のプラグ差込片２０Ｘ，２０Ｙが、電気的に絶縁された導電板または導電膜を絶縁板の両側面にそれぞれ取り付けた構成とされている。
すなわち、第１のプラグ差込片２０Ｘは、従来のＵコード７の第１のプラグ差込片７Ｘと同様の形状および大きさの第１の絶縁板２０Ｘａと、第１の絶縁板２０Ｘａの第２のプラグ差込片２０Ｙと反対側の側面に取り付けられた、かつ、末端部が第１の絶縁板２０Ｘａの末端部で第１の絶縁板２０Ｘａの第２のプラグ差込片２０Ｙ側の側面の末端部に達するように折り返された第１の機器側導電板２０Ｘｂ１と、第１の絶縁板２０Ｘａの第２のプラグ差込片２０Ｙ側の側面に取り付けられた、かつ、末端が第１の機器側導電板２０Ｘｂ１の末端と所定の間隔をもって離された第１の回線側導電板２０Ｘｂ２とから構成されている。
同様に、第２のプラグ差込片２０Ｙは、従来のＵコード７の第２のプラグ差込片７Ｙと同様の形状および大きさの第２の絶縁板２０Ｙａと、第２の絶縁板２０Ｙａの第１のプラグ差込片２０Ｘと反対側の側面に取り付けられた、かつ、末端部が第２の絶縁板２０Ｙａの末端部で第２の絶縁板２０Ｙａの第１のプラグ差込片２０Ｘ側の側面の末端部に達するように折り返された第２の機器側導電板２０Ｙｂ１と、第２の絶縁板２０Ｙａの第１のプラグ差込片２０Ｘ側の側面に取り付けられた、かつ、末端が第２の機器側導電板２０Ｙｂ１の末端と所定の間隔をもって離された第２の回線側導電板２０Ｙｂ２とから構成されている。
【００１８】
（２）従来のＵコード７の第１および第２の接続片７ａ，７ｂの代わりに第１および第２の可撓性コード２０ｊ，２０ｋが用いられているとともに、“ＥＱＰＴ”（装置側）、“常時”および“ＬＩＮＥ”（回線側）の３つのモードの切替が可能なスライドスイッチ２０ｉが本体２０ｇの先端部側に取り付けられている。
【００１９】
ここで、スライドスイッチ２０ｉは、上端部がＵコード２０の本体２０ｇの上面から突出するとともに下端部が本体２０ｇの下面から突出した矩形棒状の形状を有し、試験員がスライドスイッチ２０ｉの上端部および／または下端部に手で触れてスライドスイッチ２０ｉを本体２０ｇの長手方向に沿ってスライドすることにより３つのモードの切替ができるようにされている。
そのため、Ｕコード２０の本体２０ｇの上面および下面には、スライドスイッチ２０ｉを本体２０ｇの長手方向にスライド可能とするための貫通孔が形成されているとともに、本体２０ｇの上面には、スライドスイッチ２０ｉの３つのモードのスライド位置をそれぞれ示す“ＥＱＰＴ”、“常時”および“ＬＩＮＥ”の文字が記されている。
【００２０】
また、スライドスイッチ２０ｉの中央部には第１および第２の導電部材が組み込まれており、スライドスイッチ２０ｉをスライドさせてモード＝“ＥＱＰＴ”にした場合には第１の導電部材が第１の機器側導電板２０Ｘｂ１にのみ電気的に接続するとともに第２の導電部材が第２の機器側導電板２０Ｙｂ１にのみ電気的に接続し、スライドスイッチ２０ｉをスライドさせてモード＝“常時”にした場合には第１の導電部材が第１の機器側および回線側導電板２０Ｘｂ１，２０Ｘｂ２にのみ電気的に接続するとともに第２の導電部材が第２の機器側および回線側導電板２０Ｙｂ１，２０Ｙｂ２にのみ電気的に接続し、スライドスイッチ２０ｉをスライドさせてモード＝“ＬＩＮＥ”にした場合には第１の導電部材が第１の回線側導電板２０Ｘｂ２にのみ電気的に接続するとともに第２の導電部材が第２の回線側導電板２０Ｙｂ２にのみ電気的に接続するようにされている。
【００２１】
第１および第２の可撓性コード２０ｊ，２０ｋの先端部は、スライドスイッチ２０ｉの第１および第２の導電部材にそれぞれ電気的に接続されている。
【００２２】
これにより、スライドスイッチ２０ｉをスライドさせてモード＝“常時”にした場合には、図２（ａ）に示すように、スライドスイッチ２０ｉの第１の導電部材が第１の機器側および回線側導電板２０Ｘｂ１，２０Ｘｂ２にのみ電気的に接続するため、Ｕコード２０をＵリンク１０に差し込むことにより、Ｕリンク１０の第１の機器側差込・差込受片１０ａおよび第１の回線側差込・差込受片１０ｃを電気的に接続させることができるとともに、スライドスイッチ２０ｉの第２の導電部材が第２の機器側および回線側導電板２０Ｙｂ１，２０Ｙｂ２にのみ電気的に接続するため、Ｕコード２０をＵリンク１０に差し込むことにより、Ｕリンク１０の第２の機器側差込・差込受片１０ｂおよび第２の回線側差込・差込受片１０ｄを電気的に接続させることができる。
【００２３】
また、スライドスイッチ２０ｉをスライドさせてモード＝“ＥＱＰＴ”にした場合には、図２（ｂ）に示すように、スライドスイッチ２０ｉの第１の導電部材が第１の機器側導電板２０Ｘｂ１にのみ電気的に接続するため、Ｕコード２０をＵリンク１０に差し込むことにより、Ｕリンク１０の第１の機器側差込・差込受片１０ａと第１の可撓性コード２０ｊとを電気的に接続させることができるとともに、スライドスイッチ２０ｉの第２の導電部材を第２の機器側導電板２０Ｙｂ１にのみ電気的に接続させることができるため、Ｕコード２０をＵリンク１０に差し込むことにより、Ｕリンク１０の第２の機器側差込・差込受片１０ｂと第２の可撓性コード２０ｋとを電気的に接続させることができる。
その結果、図３に示したように制御所ＭＰ１と変電所ＴＣ２との間で通信回線試験を行う場合に、変電所ＴＣ２が運用中であるときには、試験員は、ジャック盤４からＵリンク１０を引き抜くことなく、Ｕリンク１０の第１および第２の差込口１０Ｘ，１０ＹにＵコード２０の第１および第２のプラグ差込片２０Ｘ，２０Ｙをそれぞれ差し込むことにより、制御中継所ＤＸ３とＴＣＴ６とを電気的に接続して通信回線試験を行うことができる。
【００２４】
さらに、スライドスイッチ２０ｉをスライドさせてモード＝“ＬＩＮＥ”にした場合には、図２（ｃ）に示すように、スライドスイッチ２０ｉの第１の導電部材が第１の回線側導電板２０Ｘｂ２にのみ電気的に接続するため、Ｕコード２０をＵリンク１０に差し込むことにより、Ｕリンク１０の第１の回線側差込・差込受片１０ｃと第１の可撓性コード２０ｊとを電気的に接続させることができるとともに、スライドスイッチ２０ｉの第２の導電部材が第２の回線側導電板２０Ｙｂ２にのみ電気的に接続するため、Ｕコード２０をＵリンク１０に差し込むことにより、Ｕリンク１０の第２の回線側差込・差込受片１０ｄと第２の可撓性コード２０ｋとを電気的に接続させることができる。
その結果、図３に示したように制御所ＭＰ１と変電所ＴＣ２との間で通信回線試験を行う場合に、制御所ＭＰ１が何らかの理由で使用できないときには、試験員は、ジャック盤４からＵリンク１０を引き抜くことなく、Ｕリンク１０の第１および第２の差込口にＵコード２０の第１および第２のプラグ差込片２０Ｘ，２０Ｙをそれぞれ差し込むことにより、変電所ＴＣ２とＴＣＴ６とを電気的に接続して通信回線試験を行うことができる。
【００２５】
以上説明したように、本実施例によるＵリンク１０およびＵコード２０を用いることにより、Ｕリンク１０をジャック盤４に取り付けたままＵコード２０をＵリンク１０に接続してスライドスイッチ２０ｉをスライドさせてモード切替を行うだけで「接続状態／切離し状態」の切替および試験対象「装置側／回線側」の切替をより安全かつ簡易に実施することができる。
【符号の説明】
【００２６】
１  制御所ＭＰ
２  変電所ＴＣ
３  制御中継所ＤＸ
４  ジャック盤
４ａ，４ｂ  第１および第２の装置側差込口
４ｃ，４ｄ  第１および第２の回線側差込口
５  Ｕリンク
５Ｘ，５Ｙ  第１および第２の差込口
５ａ，５ｂ  第１および第２の機器側差込片
５ｃ，５ｄ  第１および第２の回線側差込片
５ｅ，５ｆ  第１および第２の差込受片
５ｇ  本体
６  ＴＣＴ
７  Ｕコード
７Ｘ，７Ｙ  第１および第２のプラグ差込片
７ａ，７ｂ  第１および第２の接続片
７ｇ  本体
７ｈ  接続部
１０  Ｕリンク
１０Ｘ，１０Ｙ  第１および第２の差込口
１０ａ，１０ｂ  第１および第２の機器側差込・差込受片
１０ｃ，１０ｄ  第１および第２の回線側差込・差込受片
１０ｇ  本体
２０  Ｕコード
２０Ｘ，２０Ｙ  第１および第２のプラグ差込片
２０Ｘａ，２０Ｙａ  第１および第２の絶縁板
２０Ｘｂ１，２０Ｘｂ２  第１および第２の機器側導電板
２０Ｙｂ１，２０Ｙｂ２  第１および第２の回線側導電板
２０ｇ  本体
２０ｈ  接続部
２０ｉ  スライドスイッチ
２０ｊ，２０ｋ  第１および第２の可撓性コード
【図１】
2014175280.tif 000003
【図２】
2014175280.tif 000004
【図３】
2014175280.tif 000005
【図４】
2014175280.tif 000006
【図５】
2014175280.tif 000007